(57)【要約】【課題】受信した番組中の情報の一部を保存した場合に、後で当該情報の一部がどのような受信情報のなかの一部であったのかを確認する（思い出す）ことができるようにする。【解決手段】現在提示中の番組の映像音声を記録するか又は現在提示中の番組の映像音声が含まれるトランスポートストリームを例えば５分間分順次に記録ＴＳ生成部１３にてハードディスク１７に記録する。ＣＰＵ２５は、ユーザの指示を受けた時点において放送受信により得られる又は得られている情報である放送受信部分情報を自動的にハードディスク１７に保存する。ＣＰＵ２５は、前記放送受信部分情報を保存するときに、その前後区間又は前区間又は後区間における前記ハードディスク１７において記録された録画内容と前記放送受信部分情報との関連付けを行う。前記放送受信部分情報の再生に際して前記録画内容を再生する。【選択図】図１
2008109508.tif 000002
【特許請求の範囲】
【請求項１】
ディジタル放送を受信してトランスポートストリームを出力するチューナと、前記トランスポートストリームからパケットを分離するデマルチプレクサと、前記パケットをデコードするデコーダと、前記デコードにより得られた情報に基づいて映像音声を出力する映像音声出力部と、を備えたディジタル放送受信装置において、
現在提示中の番組の映像音声を記録するか又は現在提示中の番組の映像音声が含まれるトランスポートストリームを記録する録画部と、
ユーザの保存指示を受けた時点において放送受信により得られる又は得られている情報である放送受信部分情報を保存する情報保存部と、
前記情報保存部によって前記放送受信部分情報を保存するときに、その前後区間又は前区間又は後区間における前記録画部で記録された録画内容と前記放送受信部分情報との関連付けを行う記録制御手段と、
前記放送受信部分情報の提示及び前記録画部で記録された録画内容の再生を行う再生手段と、
を備えたことを特徴とするディジタル放送受信装置。
【請求項２】
請求項１に記載のディジタル放送受信装置において、前記記録制御手段は、現在受信している放送波に含まれる情報から、前記放送受信部分情報がどの番組の部分情報であるかを示す文字情報を抽出し、この文字情報を前記放送受信部分情報に関連付ける処理を行うことを特徴とするディジタル放送受信装置。
【請求項３】
請求項１又は請求項２に記載のディジタル放送受信装置において、前記放送受信部分情報は、ユーザが保存指示を行った時点のキャプチャ画像であることを特徴とするディジタル放送受信装置。
【請求項４】
請求項１又は請求項２に記載のディジタル放送受信装置において、前記放送受信部分情報は、データ放送内の記述情報、データ放送内の記述情報中に存在する遷移先情報、データ放送内の記述情報中に存在する位置情報のうちの少なくとも一つであることを特徴とするディジタル放送受信装置。
【請求項５】
請求項１又は請求項２に記載のディジタル放送受信装置において、前記放送受信部分情報は、受信中の放送を利用してダウンロードすることのできる情報であることを特徴とするディジタル放送受信装置。
【請求項６】
請求項１乃至請求項５のいずれかに記載のディジタル放送受信装置において、前記放送受信部分情報と前記録画内容とを対応させた一覧表を表示する手段を備えたことを特徴とするディジタル放送受信装置。
【請求項７】
請求項１乃至請求項６のいずれかに記載のディジタル放送受信装置において、前記再生手段は、前記放送受信部分情報が表示又は指定されたときに、当該放送受信部分情報に関連付けられている前記録画内容を自動的に表示することを特徴とするディジタル放送受信装置。
【請求項８】
請求項１乃至請求項６のいずれかに記載のディジタル放送受信装置において、前記再生手段は、前記放送受信部分情報が表示又は指定されたときに、前記放送受信部分情報に対応する前記録画内容が存在している旨のメッセージを画面に表示し、前記録画内容を見たいことを意味する操作がユーザによって行われたときに、当該録画内容を表示することを特徴とするディジタル放送受信装置。
【発明の詳細な説明】
【技術分野】
【０００１】
この発明は、ディジタル放送受信装置に関する。
【背景技術】
【０００２】
従来より、受信した番組を録画することができるディジタル放送受信装置が知られている（特許文献１参照）。このディジタル放送受信装置で録画された番組を視聴するときには、例えば、ディスプレイ上に録画番組一覧表を表示し、この一覧表から所望の番組（録画データ）を選択し、視聴を開始するのが一般的である。
【特許文献１】特開２００４−６４６３５号公報
【発明の開示】
【発明が解決しようとする課題】
【０００３】
ところで、ディジタル放送受信装置においては、番組全体を録画するのではなく、番組の一部或いは番組に付随して放送されている情報だけを保存することが可能である。例えば、番組の静止画を保存したり、番組に付随するデータ放送の全部又は一部を保存することができる。
【０００４】
しかしながら、番組の一部を保存した場合に、後になって、どの番組の一場面であったかを失念したり或いは当該一場面の前後のストーリーを失念してしまうことがある。また、番組に付随して放送されているデータ放送番組で商品の通信販売を行うことが試みられているが、かかるデータ放送番組で取得した商品画像とその購入のためのリンク先を保存していたとしても、後になって、どの番組を視聴していたときに購入しようと思った商品なのかを失念してしまうことがある。
【０００５】
この発明は、上記の事情に鑑み、受信した番組中の情報の一部を保存した場合に、後で当該情報の一部がどのような受信情報のなかの一部であったのかを確認する（思い出す）ことができるディジタル放送受信装置を提供することを目的とする。
【課題を解決するための手段】
【０００６】
この発明のディジタル放送受信装置は、上記の課題を解決するために、ディジタル放送を受信してトランスポートストリームを出力するチューナと、前記トランスポートストリームからパケットを分離するデマルチプレクサと、前記パケットをデコードするデコーダと、前記デコードにより得られた情報に基づいて映像音声を出力する映像音声出力部と、を備えたディジタル放送受信装置において、現在提示中の番組の映像音声を記録するか又は現在提示中の番組の映像音声が含まれるトランスポートストリームを記録する録画部と、ユーザの保存指示を受けた時点において放送受信により得られる又は得られている情報である放送受信部分情報を保存する情報保存部と、前記情報保存部によって前記放送受信部分情報を保存するときに、その前後区間又は前区間又は後区間における前記録画部で記録された録画内容と前記放送受信部分情報との関連付けを行う記録制御手段と、前記放送受信部分情報の提示及び前記録画部で記録された録画内容の再生を行う再生手段と、を備えたことを特徴とする。
【０００７】
上記の構成であれば、前記情報保存部によって前記放送受信部分情報を保存するときに、その前後区間又は前区間又は後区間における前記録画部で記録された録画内容と前記放送受信部分情報との関連付けが行われ、前記放送受信部分情報の提示及び前記録画部で記録された録画内容の再生を行うので、受信した番組中の情報の一部を保存した場合に、後で当該情報の一部がどのような受信情報のなかの一部であったのかを確認する（思い出す）ことができる。
【０００８】
上記構成のディジタル放送受信装置において、前記記録制御手段は、現在受信している放送波に含まれる情報から、前記放送受信部分情報がどの番組の部分情報であるかを示す文字情報を抽出し、この文字情報を前記放送受信部分情報に関連付ける処理を行うこととしてもよい。
【０００９】
これら構成のディジタル放送受信装置において、前記放送受信部分情報は、ユーザが保存指示を行った時点のキャプチャ画像であってもよい。また、前記放送受信部分情報は、データ放送内の記述情報、データ放送内の記述情報中に存在する遷移先情報、データ放送内の記述情報中に存在する位置情報のうちの少なくとも一つであってもよい。また、前記放送受信部分情報は、受信中の放送を利用してダウンロードすることのできる情報であってもよい。
【００１０】
これら構成のディジタル放送受信装置において、前記放送受信部分情報と前記録画内容とを対応させた一覧表を表示する手段を備えていてもよい。
【００１１】
これら構成のディジタル放送受信装置において、前記再生手段は、前記放送受信部分情報が表示又は指定されたときに、当該放送受信部分情報に関連付けられている前記録画内容を自動的に表示することとしてもよい。或いは、前記再生手段は、前記放送受信部分情報が表示又は指定されたときに、前記放送受信部分情報に対応する前記録画内容が存在している旨のメッセージを画面に表示し、前記録画内容を見たいことを意味する操作がユーザによって行われたときに、当該録画内容を表示することとしてもよい。
【発明の効果】
【００１２】
この発明によれば、放送受信部分情報（一部保存ファイル）の保存に対してその前後区間等における録画内容（参照ファイル）が作成され、これらが関連付けられて記録される。従って、放送受信部分情報（一部保存ファイル）の再生に際して前記録画内容（参照ファイル）が再生されることで、なぜ当該放送受信部分情報（一部保存ファイル）を保存したのかといった理由を思い出すことができるなどの効果を奏する。
【発明を実施するための最良の形態】
【００１３】
以下、この発明の実施形態のディジタル放送受信装置を、図１乃至図８に基づいて説明する。
【００１４】
図１において、チューナ２１は、例えば、地上ディジタル放送を受信し、特定周波数の信号を取り出す。また、チューナ２１は、復調回路、逆インタリーブ回路、誤り訂正回路などを備えることにより、選択したディジタル変調信号を復調してトランスポートストリーム（ＴＳ）を出力する。
【００１５】
ハードディスク１７には、受信した番組（トランスポートストリーム）が録画ファイルとして格納される。記録ＴＳ生成部１３は、チューナ２１からトランスポートストリームを受けって前記ハードディスク１７に記録する際に、不要なＴＳパケット（ＮＵＬＬパケットや目的外番組のパケット等）を除外して記録したり、選択されている番組（サービス）に関するパケットのみ（パーシャルトランスポートストリーム）を記録することができる。記録ＴＳ生成部１３の動作は、ＣＰＵ２５によって制御される。なお、ハードディスク１７には、受信した番組のトランスポートストリームではなく、受信番組の映像音声データを記録することもできる。これら受信した番組のトランスポートストリームや受信番組の映像音声データを録画ファイルと呼ぶこととするが、後述するごとく一時記録される録画ファイルは一時録画ファイルと呼び、これが参照目的で恒久的に保存されるときには参照ファイルと呼ぶこととする。
【００１６】
ＴＳ読出部１４は、再生時において、前記ハードディスク１７から録画ファイル（ストリーム）を読み出してデマルチプレクサ（ＤＥＭＵＸ）に供給する。ＴＳ読出部１４の動作は、ＣＰＵ２５によって制御される。
【００１７】
デマルチプレクサ１は、前記チューナ２１からのトランスポートストリーム或いはＴＳ読出部１４からのトランスポートストリームを、例えばＭＰＥＧ（Ｍｏｖｉｎｇ  Ｐｉｃｔｕｒｅ  Ｅｘｐｅｒｔｓ  Ｇｒｏｕｐ４）のビデオストリームやオーディオストリームなどのストリームと、セクションデータとに分離する。セクションフィルタ９は、前記セクションデータをＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）とデータカルーセルとに分離する。
【００１８】
オーディオデコーダ４は、デマルチプレクサ１から出力されたＴＳパケットを復号し更にＤ／Ａ変換して音声信号を生成し、この音声信号を音声出力部（スピーカ等）５に供給する。ビデオデコーダ２は、入力されたＴＳパケットを復号して量子化係数や動きベクトルを求め、逆ＤＣＴ変換や動きベクトルに基づく動き補償制御などを行って映像データを出力する。スケーラ３は前記映像データを入力し、画像の大きさや解像度などを調整する。字幕デコーダ６はストリーム中の字幕データを復号して文字データを生成する。
【００１９】
ＰＳＩ／ＳＩ処理部１０は、ＰＳＩ／ＳＩを入力し、ＥＰＧ（Ｅｌｅｃｔｒｏｎｉｃ  Ｐｒｏｇｒａｍ  Ｇｕｉｄｅ）等に利用できるように加工処理を行う。ＳＩ格納メモリ１１は、前記ＰＳＩ／ＳＩの加工情報を格納する。データカルーセル受信処理部１２は、セクションフィルタ９で分離されたデータカルーセルを処理してデータ放送コンテンツを取得し、コンテンツバッファ１５に供給する。コンテンツバッファ１５は、データ放送コンテンツを一時的に記憶すると共に、更新されたデータ放送コンテンツの上書き処理等を行う。
【００２０】
ＢＭＬブラウザ１６はデータ放送の表示において起動される。番組連動型のデータ放送におけるデータ表示は、例えば、データ放送表示キー（ｄキー）が押下されたことを検出したとき行われる。データ放送においては、最初にエントリーコンポーネントに入れられているスタートアップモジュール（moduleＩＤ＝０）の取得が試みられ、得られたスタートアップ文書に基づいて画面作成が行われる。そして、ユーザがスタートアップ画面上の各種ボタン（「天気予報」「ニュース」等）を操作することで下位階層の表示が実行される。
【００２１】
また、ＢＭＬブラウザ１６は表示すべき文書（データ）をコンテンツバッファ１５に要求する。コンテンツバッファ１５は要求されたデータが存在すればそのデータを読み出してＢＭＬブラウザ１６に渡す。要求されたデータが無ければデータカルーセル受信処理部１２がトランスポートストリームから取り出す。なお、データカルーセル受信処理部１２はＤＳＭ−ＣＣ（digital storage media command and control ）方式で送られてくるデータを取り出す。
【００２２】
フレームメモリ７は、前記スケーラ４からの受信画像データ、字幕デコーダ６からの字幕データ、ＢＭＬブラウザ１６からのデータを入力し、各プレーンを生成して合成し、この合成映像データを映像表示部（液晶ディスプレイ等）８に供給する。また、図示しないＯＳＤ（オンスクリーンディスプレイ）回路は、ＣＰＵ２５から出力指示された文字情報や色情報に基づく映像データをフレームメモリ７に出力する。フレームメモリ７は、前記映像データを前記スケーラ３等からから出力される受信映像データに組み込む処理を行う。
【００２３】
操作部２６には、電源ＯＮ／ＯＦＦキー、十字キー（方向キー）、数値キー、テレビＯＮキー、録画／再生キーなどが配置されている。
【００２４】
メモリ（例えば、ＲＡＭ、ＥＥＰＲＯＭ、フラッシュメモリ等）２８には、各種プログラムやデータが格納される。
【００２５】
ＣＰＵ２５は、このディジタル放送受信装置を全体を制御すると共に、この発明に係わる処理として、以下の処理も行う。なお、ＣＰＵ２５はＨＴＭＬファイルを解釈するブラウザとしても機能し、ネットワークインターフェイス１８にてインターネット接続を行い、受信したＨＴＭＬファイルの画像表示も行うことができる。
【００２６】
（１）テレビ放送の受信状態において、ＣＰＵ２５は、受信しているトランスポートストリームをハードディスク１７に記録するように、記録ＴＳ生成部１３に記録指令を与える。この記録指令における一つは、例えば、１分間分のトランスポートストリームから成る一時録画ファイルを順次に記録させる指令である。そして、この記録指令における他の一つは、最新の５個分の一時録画ファイルが常に存在するように、この数を超える一時録画ファイルを作成するときに、最も旧い一時録画ファイルを削除させる指令である。このような録画指令により、或る時点における５分前からの受信映像音声が常に記録保持される。勿論、トランスポートストリームの記録に代えて、デコードにより得られる映像音声データを上記と同様の態様でハードディスク１７に記録してもよい。また、一時録画ファイルの単位記録時間や個数（総合時間）などは例示であり、上記の態様に限らない。また、各一時録画ファイルには、例えば、その記録開始時点の日付及び時刻情報を用いて、ファイル名が付与される。例えば、記録開始時点の時刻が２００６年３月２２の１０時５分３０秒であれば、２００６０３２２ １００５３０．ｔｓといったファイル名が与えられる。
【００２７】
なお、前記一時録画ファイルは、あくまでも一時的に記録されるファイルであるから、テレビ視聴終了時（ＴＶＯＦＦ）には、後述する参照ファイルとされる場合を除き、削除される。また、チャンネルが変更されたときには、現在保存中の一時録画ファイルを全て消去し、新たに一時録画ファイルを作成していくこととすることもできる。
【００２８】
（２）テレビ放送を受信している間、ＣＰＵ２５は、操作部２６からの信号或いは図示しないリモートコントローラからの信号を監視し、ユーザによってチャプタ指示（静止画記録指示）が行われたかどうかを判断する。ＣＰＵ２５は、チャプタ指示を受けたとき、例えば、フレームメモリ７上の画像データ（ディスプレイ表示画像）を、一部保存ファイル（放送受信部分情報）として、ハードディスク１７に記録する。一部保存ファイルには、例えば、その記録開始時点の日付及び時刻情報を用いて、ファイル名が付与される。例えば、記録開始時点の時刻が２００６年３月２２の１０時５分２０秒であれば、２００６０３２２ １００５２０．ｊｐｇといったファイル名が与えられる。
【００２９】
（３）ＣＰＵ２５は、前記チャプタ指示を受けたときには、更に、例えば、その時点で作成中の一時録画ファイルを含め、合計５個分の一時録画ファイルを、恒久的保存として扱われる参照ファイルとして、ハードディスク１７内の例えば別の保存領域に転送記録する。そして、前記一部保存ファイルと前記参照ファイルとを関連付ける。この関連付けとは、一部保存ファイルに関連して参照ファイルが存在するかどうか、並びに存在するとしたらそのファイル名並びにこれが何処に存在するのかを示す情報等を持つことをいう。一部保存ファイルと参照ファイルとの関連付けファイル例を図３に示す。図３の例では、作成日時、一部保存ファイル名、参照ファイル名、オフセット時刻情報を含んでいる。作成日時は一部保存ファイルの作成日時情報からなり、オフセット時刻は、前記一部保存ファイルの作成日時と参照ファイルの作成開始日時との差分からなる。
【００３０】
（４）ＣＰＵ２５は、一部保存ファイルの一覧表示を要求する信号を受けとったときには、ハードディスク１７内に保存されている一部保存ファイルを検索し、この検索によって得られた情報を、ＯＳＤ機能を用いて、画面に表示する。図４は一覧表示を例示した画面である。この例では、キャプチャ画像のみを抽出して一覧表示している。なお、特定の種類の一部保存ファイルだけの一覧表示に先立って、特定の種類をユーザに選択させるための画面を表示するのがよい。また、図７に示すように、種類による区分を行わないで一覧表示を行うこととしてもよい。
【００３１】
（５）ＣＰＵ２５は、前記一覧画面上において一部保存ファイルを指定するためのカーソルを表示する。更に、操作部２６或いはリモートコントローラの方向キー操作信号を検出し、方向キーの操作に合わせてカーソルを移動させる。そして、決定キーが押下されたかどうかを判断し、決定キーが押下されたときには、その時点で前記カーソルが位置しているところの一部保存ファイルを再生する処理（例えば、静止画を画面表示する処理）を実行する。また、ＣＰＵ２５は、一部保存ファイルを再生する処理とともに、ＯＳＤ機能を用い、「参照ファイルが存在します。再生しますか  ＹＥＳ  ＮＯ」といったメッセージを表示する。参照ファイルが存在するかどうかは先述した関連情報に基づいて判断することができる。ユーザがＹＥＳを選択したときには、前記関連情報に基づいて参照ファイルを特定し、その再生を実行する。ハードディスク１７からのトランスポートストリームの読み出しには、ＴＳ読出部１４が用いられる。例えば、ピクチャ・イン・ピクチャ処理によって、現在表示中の一部保存ファイルの再生画面内に小画面を形成し、この小画面内で前記参照ファイルの再生画像を表示する。かかる処理により、例えば、一部保存ファイルとして或る番組の或る場面の静止画が画面全体に表示されるとともに、前記小画面内には、該番組の一部動画像が表示される。この動画像が５分間分の一時録画ファイルから成るのであれば、前記場面（静止画）を含む５分間の番組映像が前記小画面内に表示されることになる。これにより、番組の一部を保存した場合に、後になって、どの番組の一部であったかを失念したとしても、上記参照ファイルを再生することにより、思い出すことが可能になる。
【００３２】
一部保存ファイルとして、データ放送を保存することができる。保存されるデータ放送には、ＢＭＬ記述文書だけでなく、そこから参照される静止画データ、遷移先のＢＭＬ文書、データファイルなどを含む。例えば、通信販売番組などでは、映像・音声で販売員が商品の紹介を行い、データ放送で静止画（商品の断面図等）と文字情報による商品紹介を表示していることがある。ユーザがデータ放送内の情報保存を指示する操作（例えば、対象情報の上にカーソルを載せて「保存」のボタンを押下、或いは、ポインタ（マウス）のカーソルを画像上に位置させると「保存」，「印刷」といった項目を表示させ、このなかの「保存」を選択する操作）を受信装置に対して行うと、ＣＰＵ２５は、ＢＭＬ記述文書の全部又は一部を一部保存ファイルとして記録すると共に、先述したごとく、合計５個分の一時録画ファイルを、恒久的保存として扱われる参照ファイルとして、ハードディスク１７内の別の保存領域に転送記録する。なお、ユーザによって保存操作がなされたときに、「カーソル上の文字列保存か」、「画面提示している全体のデータ保存か」、「参照される静止画データ、遷移先のＢＭＬ文書等を含めて保存か」を問うメッセージを表示し、ユーザに選択させることとしてもよい。「参照される静止画データ、遷移先のＢＭＬ文書等を含めて保存か」を選択した場合には、実際に遷移先にアクセスしてＢＭＬ文書等を受信する。
【００３３】
そして、前記一部保存ファイルと前記参照ファイルとを関連付ける。これにより、例えば通信販売番組における静止画（商品の断面図等）を保存し、これを後で再生する場合に、この再生だけでなく、商品紹介の映像音声も再生できることになる。
【００３４】
一部保存ファイルとして、データ放送文書内に記述されている遷移先情報（リンク）を保存することができる。遷移に必要な１次リンク或いは２次リンクと呼ばれるリンク先は、ＵＲＬ（Uniform Resourc Locater ）で記述されるので、このＵＲＬを記録する。後の表示において分かりやすくするために、２次リンクのＢＭＬ文書を取得し、これを画像化したもの（静止画像データ）を画像情報として保存しておいてもよい。先述したのと同様に、通信販売番組などでは、映像音声で商品の紹介を行い、データ放送において、静止画と文字情報による商品紹介の他に購入先へのリンクを表示していることがある。ユーザがデータ放送内のＵＲＬ保存を指示する操作（例えば、カーソルをＵＲＬ部分に載せて保存キーを押下する操作等）を受信装置に対して行うと、ＣＰＵ２５は、ＵＲＬを一部保存ファイルとして記録すると共に、先述したごとく、合計５個分の一時録画ファイルを参照ファイルとしてハードディスク１７内の別の保存領域に転送記録する。そして、前記一部保存ファイルと前記参照ファイルとを関連付ける。これにより、例えば前記ＵＲＬを保存し、これを後で再生する場合に、この再生だけでなく、商品紹介の映像・音声も再生できることになる。
【００３５】
一部保存ファイルとして、データ放送内の記述情報中に存在する位置情報を保存してもよい。また、位置情報とともにこれに関連する地図画像（静止画像データ）が存在するときには、この地図画像も記録するようにしてもよい。例えば、カーナビゲーション付きの放送受信装置でＴＶ視聴中に、ユーザがデータ放送内の位置情報保存を指示する操作（例えば、「東経○°，北緯△°」と表示されている箇所或いは住所表記箇所にカーソルを載せて保存キーを押下する操作等）を受信装置に対して行うと、ＣＰＵ２５は、前記位置情報を一部保存ファイルとして記録すると共に、先述したごとく、合計５個分の一時録画ファイルを、恒久的保存として扱われる参照ファイルとして、ハードディスク１７内の別の保存領域に転送記録する。例えば、観光地を紹介する番組で、データ放送内に該観光地内の観光スポットの位置情報が含まれているときにこれを保存したいと思うことがある。ただし、後で位置情報（並びに地図）だけを見てもどのような観光スポットであったかを思い出せない場合がある。上記のごとく位置情報に参照ファイル（番組）が関連付けられて保存されることにより、前記位置情報を記録した理由を思い出すことができる。なお、位置情報はカーナビゲーションシステムで目的地設定位置情報として用いることのできる形式の情報であるのが望ましい。そして、上記カーナビゲーションシステムにおいては、例えば地上ディジタル放送の受信により取得した位置情報の一覧を表示するようにし、この一覧上で目的地選択が行えるようにしてもよい。
【００３６】
一部保存ファイルとして、受信放送を利用してダウンロードすることのできる情報を保存してもよい。このダウンロードできる情報（コンテンツ）としては、例えば、ゲームソフト、楽曲ファイルなどがある。例えば、音楽番組などでは、映像音声で放送を行いながら、その時点で歌っている歌手の楽曲ファイルをデータカルーセル形式で配信することがある。ユーザが楽曲ファイルのダウンロードを指示する操作（例えば、「この歌を購入」といった画面上のボタンをＯＮする操作等）を受信装置に対して行うと、ＣＰＵ２５は、楽曲ファイルを一部保存ファイルとして記録すると共に、先述したごとく、合計５個分の一時録画ファイルを、恒久的保存として扱われる参照ファイルとして、ハードディスク１７内の別の保存領域に転送記録する。そして、前記一部保存ファイルと前記参照ファイルとを関連付ける。ユーザは、上記のダウンロードした楽曲がどの歌手の楽曲であったを忘れてしまった場合などに、前記参照ファイルを再生することで、どの歌手のものであったを思い出すことができる。
【００３７】
一部保存ファイルを作成する際に、一部保存ファイルの概略が分かるように文字情報を一部保存ファイルに関連付けて記録するようにしてもよい。前記文字情報は例えば番組のタイトル、ジャンル情報などである。例えば、番組のタイトル名が「グルメ旅」であり、ＵＲＬが一部保存ファイルである場合には、「グルメ旅，Http.www・・・・」といった形式で関連付けられる。また、静止画を保存する場合に、前記文字情報として、字幕文データを保存してもよい。更に、図３に示したオフセット時間を文字情報として保存してもよい。データ放送を一部保存ファイルとして保存するときにも、そのタイトルを文字情報として記録してもよい。データ放送のタイトルは、headタグ内のtitle タグ内に記述されている。遷移先情報の保存はＵＲＬの保存に限らず、リンク先のタイトルを遷移先情報として利用できるのであれば、このタイトルを遷移先情報として保存するようにしてもよい。
【００３８】
図２はＣＰＵ２５における保存処理の内容を例示したフローチャートである。ＣＰＵ２５は放送受信の開始とともに一時録画ファイルの作成を開始し（ステップＳ１）、一部保存ファイルの作成指示があるかどうかを判断する（ステップＳ２）。この作成指示は、キャプチャ画像を取得するためのボタン押下であったり、画面上のＵＲＬ表示箇所にカーソルを載せた状態での「保存」ボタンの押下などである。ステップＳ２でＮＯであるときには、一時録画ファイルへの録画データ書き込み処理を行う（ステップＳ３）。次に、この一時録画ファイルが放送１分間分のデータ量に達したかどうかを判断し（ステップＳ４）、達したならば新規に一時録画ファイルを作成する（ステップＳ５）。達していないなら、一時録画ファイルの合計が放送５分間分のデータ量に達したかどうかを判断する（ステップＳ６）。達していないならステップＳ２に戻る。達したなら、最も古い一時録画ファイルを削除してステップＳ２に戻る。
【００３９】
ステップＳ２で作成指示有りとされたときには、一部保存ファイルの保存処理を実行する（ステップＳ８）。そして、前記の合計５分間分の一時録画ファイルを連結して参照ファイルを作成し（ステップＳ９）、この参照ファイルを保存する処理を行う（ステップＳ１０）。保存処理が終了したら（ステップＳ１１でＹＥＳ）、参照ファイルと一部保存ファイルとの関連付けを行う（ステップＳ１２）。
【００４０】
一部保存ファイルを表示（再生）する際は、ＣＰＵ２５は、保存されている一部保存ファイルを読み出し、表示処理を行う。更に、ＣＰＵ２５は、図３に示した関連付けファイルによって、関連する参照ファイルを検索する。関連する参照ファイルが見つかれば、例えば関連する参照ファイルの存在を示す表示（メッセージ表示）を行い、ユーザが表示希望を示す操作を行ったことをＣＰＵ２５が検出すると、関連する参照ファイルを再生して表示する。勿論、ユーザの表示希望操作なしで、関連する参照ファイルが見つかれば、関連する参照ファイルの再生処理を行ってもよい。
【００４１】
一部保存ファイルの一覧表示例として示した図４においては、ユーザは上下方向キーを操作して所望のキャプチャ画像（項目部分）を選択する。更に、ユーザは左右方向キーを操作して「画像のみ再生」と「参照ファイルも再生」のどちらかのボタンを選択する。「参照ファイルも再生」のボタンが選択されて決定キーが押下されたときには、図５に示すように、キャプチャ画像を表示するとともに、関連する参照ファイルを再生し、ピクチャ・イン・ピクチャ機能により、画面右下位置に、参照ファイルの再生映像を表示する。
【００４２】
なお、図４に示した画面において、「画像のみ再生」及び「参照ファイルも再生」のボタン表示を省略してもよい。この場合は、図６に示すように、決定された画像の項目の表示を行って参照ファイルを再生するかどうかを問うようにしてもよい。
【００４３】
一部保存ファイルの一覧表示例として示した図７では、一部保存ファイルとしてＵＲＬが選択されている状態が示されている。図７の表示状態で決定キーが押下されると、例えば、図８に示すように、参照ファイルが再生されてその映像が表示されるとともに、ＯＳＤ機能によって、ＵＲＬの文字表示を行う。このような表示により、ユーザは再生映像を見て上記ＵＲＬをなぜ保存したのかを思い出すことができる。ユーザが「ＹＥＳ」を選択したときには、ＣＰＵ２５はネットワークインターフェイス１８を用いて上記ＵＲＬにより示されるリソースからＨＴＭＬファイルを受信し、画面に表示する。なお、図７に示した画面において、項目にカーソルが載せられた段階（項目が指定された段階）で自動的に参照ファイルをピクチャインピクチャ機能により再生してもよい。すなわち、一部保存ファイルの指定段階（未再生段階）で参照ファイルが再生される。ユーザが前記参照ファイルを見たことで該指定項目が所望の一部保存ファイルであると分かったなら、決定キーを押下することで、一部保存ファイルを再生（表示）したり、該一部保存ファイルに基づく遷移先にアクセスしたり、該一部保存ファイルに基づく位置情報によってカーナビゲーションシステムにおける目的地設定を行ったりすることができる。
【００４４】
なお、上述した例では、合計５個分（５分間分）の一時録画ファイルを常時作成することとし、一部保存ファイルを記録するときに、前記一時録画ファイルを恒久的保存として扱われる参照ファイルとするようにした。これにより、一部保存ファイルを記録する時点よりも幾分過去（前）からの放送内容が参照ファイルとされることになる。しかしこれに限るものではない。一部保存ファイルを記録するときに、その後においても更に合計数個分の一時録画ファイルに相当する録画ファイルを作成して記録することとすれば、一部保存ファイルを記録する時点よりも後の放送内容（前後内容）も参照ファイルとされることになる。勿論、一部保存ファイルを記録する時点よりも後だけの放送内容を参照ファイルとすることもできる。どれを選択するかは、予めメニュー画面上でユーザが選択しておけばよい。また、チャンネル切替の後直ぐに一部保存ファイルの生成処理がなされたときには、参照ファイルにおける録画時間が短いことがあり、このような場合には、自動的に一部保存ファイルを記録する時点よりも後の放送内容を参照ファイルとするようにしてもよい。
【００４５】
また、上記の例では、一部保存ファイルの一覧を表示することとしたが、これに限らない。例えば、一部保存ファイルの作成時点から一定期間（例えば、１週間）が経過した時点で、自動的に画面に「一週間前にこの一部保存ファイルを保存しました。見ますか」といったメッセージを表示し、肯定の操作がなされたときに参照ファイルを再生するようにしてもよい。
【００４６】
また、この発明のディジタル放送受信装置は、据え置き型のものに限らず、ポータブルタイプのものでもよいし、地上ディジタル放送視聴機能付きの携帯電話として構成されていてもよい。また、カーナビゲーションシステム付きの地上ディジタル放送受信装置、地上ディジタル放送受信ボード及びその操作ソフトウェアが装着されたパーソナルコンピュータなどとして構成されていてもよい。
【図面の簡単な説明】
【００４７】
【図１】この発明の実施形態のディジタル放送受信装置を示したブロック図である。
【図２】この発明の実施形態の処理内容を示したフローチャートである。
【図３】この発明の実施形態の関連付け記録の例を示した説明図である。
【図４】この発明の実施形態の画面表示例を示した説明図である。
【図５】この発明の実施形態の画面表示例を示した説明図である。
【図６】この発明の実施形態の画面表示例を示した説明図である。
【図７】この発明の実施形態の画面表示例を示した説明図である。
【図８】この発明の実施形態の画面表示例を示した説明図である。
【符号の説明】
【００４８】
１３    記録ＴＳ生成部
１７    ハードディスク
２１    チューナ
２５    ＣＰＵ
３０    ディジタル放送受信装置
【図１】
2008109508.tif 000003
【図２】
2008109508.tif 000004
【図３】
2008109508.tif 000005
【図４】
2008109508.tif 000006
【図５】
2008109508.tif 000007
【図６】
2008109508.tif 000008
【図７】
2008109508.tif 000009
【図８】
2008109508.tif 000010